(57)【要約】【課題】振動が空気孔以外の部分と衝突することを防ぎ、未着磁部分ｎｚの範囲が有効に利用され、永久磁石板は着磁部分の面積を減らすことなく、理想的な音圧/音質向上することを目的とする。【解決手段】帯状の多極着磁パターンが形成された永久磁石板２，５と、永久磁石板２，５を覆い支持するフレーム１，６とを具備し、永久磁石板２およびフレーム１の空気孔８の形状がスリット形状である。このことにより、振動が空気孔８以外の部分と衝突することを防ぎ、着磁部分の面積を減らすことなく、理想的な音圧/音質向上ができるという効果を奏する。【選択図】図１
2007282039.tif 000002
【特許請求の範囲】
【請求項１】
帯状の多極着磁パターンが形成された永久磁石板と、前記永久磁石板を覆い支持するフレームとを備えた電磁変換器において、
前記永久磁石板および前記フレームがスリット形状の空気孔を有することを特徴とする電磁変換器。
【請求項２】
前記永久磁石板および前記フレームにおいて、前記空気孔の形状が前記永久磁石板の未着磁部分の形状に合致することを特徴とする請求項１記載の電磁変換器。
【発明の詳細な説明】
【技術分野】
【０００１】
この発明は、例えばオーディオ信号を再生する電磁変換器に関するものである。
【背景技術】
【０００２】
永久磁石と振動膜とを組み合わせた電磁変換器は様々な技術が提案されている。図４は従来の平板型の電磁変換器構成の概略図を示す図である。この種の電磁変換器は、通常、永久磁石板２，５と、その永久磁石板２，５に対向するように配置した振動膜４と、これら永久磁石板２，５と振動膜４との間に配置された緩衝部材３と、これらを覆うフレーム１，６を備えている。また振動膜４はコイルパターン７ａを有するコイル７が全面に形成され、フレーム１及び永久磁石板２は円形形状の空気孔１０を有する。
図２は平板型の電磁変換器の断面図を示した図であり、電磁変換器は、永久磁石板２，５と、その永久磁石板２，５に対向するように配置した振動膜４と、これらを覆い支持するフレーム１，６を備え、永久磁石板２，５は帯状のＮ極とＳ極が交互に現れる平行縞状の多極着磁パターンを有する。この永久磁石板２，５は異なる磁極同士の間隙部分のいわゆる未着磁部分（着磁のニュートラルゾーン）ｎｚと称される部分を有する。また振動膜４は未着磁部分ｎｚと対向する位置にコイル７を形成し、フレーム１及び永久磁石板２は図４に示すような円形形状の空気孔１０を有する。
【０００３】
この電磁変換器において、電流（オーディオ信号）が振動膜４のコイル７に流れると、コイル７と永久磁石板２，５の帯状の多極着磁パターンとが電磁的に結合するため、振動（オーディオ振動）がフレミングの法則により振動膜４に発生する。この振動はフレーム１及び永久磁石板２の円形の空気孔１０（開口部）を通り、音が外部へフレーム１及び永久磁石板２のある方向に出力される。
【０００４】
【特許文献１】特開平９−３３１５９６号公報（段落００１３）
【発明の開示】
【発明が解決しようとする課題】
【０００５】
従来の電磁変換器は上記のように構成されており、振動膜より発生した振動は空気孔を通り、音が外部に出力されるため、空気孔の形状は未着磁部分ｎｚの形状と合致するように配置する必要がある。しかし、円形の空気孔の形状は、従来のコーン形スピーカでフレームや永久磁石板の空気孔として多く用いられていたが、未着磁部分ｎｚの形状と合致するような配置をすることができず、振動が空気孔以外の部分に衝突してしまう。このため未着磁部分ｎｚの範囲（面積）が有効に利用できず、音は外部に伝わりにくかった。また振動が空気孔以外の部分に衝突することを防ぐため、円形の空気孔の形状を未着磁部分ｎｚの幅より大きくした場合、永久磁石板の着磁部分が減少することで、永久磁石板の磁力が低下し、その結果、音圧が低下するという課題があった。
【０００６】
この発明は上記のような課題を解決するため、振動が空気孔以外の部分と衝突することを防ぎ、未着磁部分ｎｚの範囲が有効に利用され、永久磁石板は着磁部分の面積を減らすことなく、理想的な音圧/音質向上することを目的とする。
【課題を解決するための手段】
【０００７】
本願発明に係る電磁変換器は、帯状の多極着磁パターンが形成された永久磁石板と、永久磁石板を覆い支持するフレームとを備えた電磁変換器において、永久磁石板およびフレームがスリット形状の空気孔を有している。
【発明の効果】
【０００８】
本発明の電磁変換器は、帯状の多極着磁パターンが形成された永久磁石板と、永久磁石板を覆い支持するフレームとを備えた電磁変換器において、永久磁石板およびフレームの空気孔の形状がスリット形状であるので、振動が空気孔以外の部分と衝突することを防ぎ、スリット状の空気孔を有する永久磁石板は未着磁部分ｎｚの範囲を有効に利用でき、永久磁石板は着磁部分の面積を減らすことなく、理想的な音圧/音質向上することができる。
【発明を実施するための最良の形態】
【０００９】
実施の形態１．
図１はこの発明の実施の形態１による平板型の電磁変換器構成の概略図である。この電磁変換器は、永久磁石板２，５と、その永久磁石板２，５に対向するように配置した振動膜４と、これら永久磁石板２，５と振動膜４との間に配置された緩衝部材３と、これらを覆い支持するフレーム１，６を備え、振動膜４は蛇行コイルパターン７ａを有するコイル７を全面に形成する。このことは従来の電磁変換器と同様であるが、フレーム１及び永久磁石板２の空気孔８は、従来の円形形状と異なり、スリット形状を有する。
実施の形態１の電磁変換器の断面図を示す図は、従来の電磁変換器と同様に図２であり、電磁変換器は、永久磁石板２，５と、その永久磁石板２，５に対向するように配置した振動膜４と、これらを覆うフレーム１，６を備え、永久磁石板２，５は異なる磁極が一定の間隔を置いて交互に形成された帯状の多極着磁パターンが有するものであり、この永久磁石板２，５は異なる磁極同士の間隙部分のいわゆる未着磁部分ｎｚと称される部分を有する。また振動膜４は未着磁部分ｎｚと対向する位置にコイル７を形成し、フレーム１及び永久磁石板２は図１に示すようなスリット形状の空気孔８を有する。
【００１０】
まず、永久磁石板２，５は、図２に示すように、振動膜４との対向面のほぼ全面に焼結フェライト磁石からなる帯状の多極着磁パターンＮ，Ｓが片面に形成されているもので、その多極着磁パターンＮ，Ｓは、後述する図３で示すように、帯状のＮ極とＳ極が交互に現れる平行縞状の多極着磁パターンとなっており、そのうち永久磁石板２は、未着磁部分ｎｚに沿って一定のピッチａで未着磁部分ｎｚと同一の幅の複数のスリット状の空気孔８が設けられている。
【００１１】
次に、図１に示すように、振動膜４は表面に蛇行コイルパターン７ａを有するコイル７が形成され、図２に示すように、振動膜４は永久磁石板２，５に対向するように配置している。またコイル７の直線部分は多極着磁パターンの帯状のＮ極とＳ極の中央部に位置する配置をし、またコイル７の直線部分は帯状磁極Ｎ，Ｓと同じピッチで平行に配置されている。この振動膜４は柔軟な薄膜状の樹脂フィルム上に蛇行コイルパターン７ａを有するコイル７をプリント配線した構造となる。
【００１２】
緩衝部材３は通気性および音響エネルギーの透過性を有する不織布などから形成され、図１に示すように、緩衝部材３は永久磁石板２，５と振動膜４との間に配置され、その振動膜４が振動時に永久磁石板２，５とぶつかるのを防止するとともに、サスペンションとしての役割を担うものである。
【００１３】
フレーム１は永久磁石板２のスリット形状の空気孔８に連通させるスリット形状の空気孔８を有している。フレーム６は永久磁石板５における多極着磁パターンの形成面と反対側の面に配置されて磁束漏洩を防止するためのものである。またフレーム１，６は、例えば、鉄板やニッケル・鉄合金（パーマロイ）板などが適用される。
【００１４】
図３は電磁変換器の空気孔８，１０の形状違いによる効果を説明するための概略図である。図３（ａ）上図はフレーム１及び永久磁石板２のスリット形状の空気孔８の配置を示す図であり、スリット形状の空気孔８がピッチａの間隔で形成されている。図３（ａ）下図は永久磁石板２の着磁パターン９を示す図であり、Ｎ極とＳ極がピッチａで交互に現れる平行縞状の多極着磁パターンとなり、永久磁石板２は異なる磁極同士の間隙部分に未着磁部分ｎｚを有している。この図３（ａ）は空気孔８のスリット形状が永久磁石板２の未着磁部分ｎｚの形状に合致するように配置した図である。また配置図３（ｂ）上図はフレーム１及び永久磁石板２の円形形状の空気孔１０の配置を示す図であり、従来の円形形状の空気孔１０がピッチａの間隔で形成されている。図３（ｂ）下図は図３（ａ）下図と同様である。
【００１５】
図３（ｂ）では、フレーム１及び永久磁石板２は直線の未着磁部分ｎｚに対して円形形状の空気孔１０を有するので、未着磁部分ｎｚの形状と空気孔１０の形状が図３（ｂ）の上下図のように合致せず、振動が空気孔１０以外の部分に衝突してしまい、未着磁部分ｎｚの範囲は有効に利用できず、振動が外部に十分に伝わらない。また未着磁部分ｎｚの範囲が有効に利用されるために空気孔１０の円形形状の直径を未着磁部分ｎｚの幅より大きくすると、フレーム１及び永久磁石板２の開口部分が図３（ａ）に比べて広くなってしまい、永久磁石板２は着磁面積が狭くなり、磁力が低下し、結果として、出力される音圧レベルは低下してしまう。
【００１６】
一方、図３（ａ）では、フレーム１及び永久磁石板２が未着磁部分ｎｚに沿って一定のピッチａで未着磁部分ｎｚと同一の幅の複数のスリット状の空気孔８を有するので、未着磁部分ｎｚの形状と空気孔８の形状が合致し、未着磁部分ｎｚの範囲が有効に利用できる。このため、振動が空気孔８以外の部分と衝突することを防ぎ、永久磁石板２は着磁部分の面積を減らすことなく、理想的な音圧/音質向上ができるという効果を奏する。
【００１７】
またフレーム１は強度許容範囲内までスリット状の空気孔８を広げることができるので、フレーム１は開口可能な範囲で未着磁部分ｎｚを有効に利用できる。このことは永久磁石板２が未着磁部分ｎｚに沿って一定のピッチａで未着磁部分ｎｚと同一の幅の複数のスリット状の空気孔８を有し、そしてフレーム１が未着磁部分ｎｚに沿って一定のピッチａで未着磁部分ｎｚより広い幅の複数のスリット状の空気孔８を有することも可能である。
【００１８】
次に動作について説明する。
電流が振動膜４の表面に形成されている蛇行コイルパターン７ａのコイル７に流れると、コイル７と永久磁石板２，５の帯状の多極着磁パターンとが電磁的に結合するため、振動がフレミングの法則により振動膜４に発生する。この振動がフレーム１及び永久磁石板２のスリットの空気孔８を通り、音がスリット形状の空気孔８の方向から外部に出力される。スリット状の空気孔８は永久磁石板２の未着磁部分ｎｚに沿って一定のピッチａで未着磁部分ｎｚと同一の幅に配置されることにより、空気孔８の形状が未着磁部分ｎｚの形状と合致するため、未着磁部分ｎｚの範囲が有効に利用でき、永久磁石板２は着磁部分の面積を減らすことなく、理想的な音圧/音質向上することができる。また、上記の永久磁石板２，５、振動膜４、緩衝部材３は、フレーム１，６に覆われてスピーカ筺体に取り付けられている。
【００１９】
以上説明した実施の形態１によれば、電磁変換器は、帯状の多極着磁パターンが形成された永久磁石板２，５と、永久磁石板２，５を覆い支持するフレーム１，６とを備え、永久磁石板２およびフレーム１のスリット形状の空気孔８の形状が永久磁石板２の未着磁部分ｎｚの形状に合致するので、振動が空気孔８以外の部分と衝突することを防ぎ、永久磁石板２は着磁部分の面積を減らすことなく、理想的な音圧/音質向上ができるという効果を奏し、未着磁部分ｎｚの範囲が有効に利用できるという効果を奏し、音が外部に伝わりやすいという効果を奏する。
【図面の簡単な説明】
【００２０】
【図１】実施の形態１における平板型の電磁変換器構成の概略図である。
【図２】平板型電磁変換器の断面を表す図である。
【図３】空気孔の形状の違いによる効果を示す図である。
【図４】従来の平板型の電磁変換器構成の概略図である。
【符号の説明】
【００２１】
１  フレーム（上部）、２  永久磁石板（上部）、３  緩衝部材、４  振動膜、５  永久磁石板（下部）、６  フレーム（下部）、７  コイル、７ａ  蛇行コイルパターン、８  スリット形状の空気孔、９  着磁パターン、１０  円形形状の空気孔、ｎｚ  未着磁部分（着磁のニュートラルゾーン）、a ピッチ。
【図１】
2007282039.tif 000003
【図２】
2007282039.tif 000004
【図３】
2007282039.tif 000005
【図４】
2007282039.tif 000006